(57)【要約】【課題】耐荷重性及び密閉性を向上した開閉屋根を提供する。【解決手段】一方の屋根本体部４の第２側縁部６には、断面がコの字状の金属製のパッキン収容部１３が設けられ、パッキン収容部１３内に第１パッキン１４が設けられている。他方の屋根本体部４の第２側縁部６には、断面がＬ字状の金属製の第１当接部１５が設けられている。各屋根本体部４の第２側縁部６同士が当接する際、第１当接部１５が第１パッキン１４に当接する。これにより、各第２側縁部６間がシールされる。また、屋根本体部４は、第２側縁部６から第１側縁部５に向かって下り勾配となっている。【選択図】図３
2009127190.tif 000002
【特許請求の範囲】
【請求項１】
第１側縁部及び第２側縁部を有する２つの屋根本体部であって、該第１側縁部において回転可能に固定されると共に互いの該第２側縁部が対向するように設けられた２つの屋根本体部と、
前記第１側縁部を中心として前記屋根本体部を回動させる回動装置と
を備えた開閉屋根であって、
前記各第２側縁部同士がシール部材を介して当接することによって前記開閉屋根が閉じられ、該開閉屋根が閉じられている場合、前記屋根本体部は、前記第２側縁部から前記第１側縁部に向かって下り勾配となっている開閉屋根。
【請求項２】
前記シール部材は、
一方の前記屋根本体部の前記第２側縁部に沿って設けられた第１パッキンと、
他方の前記屋根本体部の前記第２側縁部に沿って設けられた第１当接部と
を備える、請求項１に記載の開閉屋根。
【請求項３】
前記開閉屋根が閉じられたときに、前記２つの屋根本体部の裏面部に対応する形状の上端部を有した２つの壁部と、
前記第１側縁部の下方において前記第１側縁部に沿って前記２つの壁部間を延びる基台であって、該基台の両端部が前記壁部に接続された２つの基台と、
該基台に沿って設けられた第２当接部と、
前記屋根本体部の裏面部に設けられると共に前記開閉屋根が閉じられた時に前記第２当接部が当接する第２パッキンと
を備え、
前記開閉屋根が閉じられた時に、前記第２パッキンが前記前記壁部にも当接する、請求項２に記載の開閉屋根。
【請求項４】
前記裏面部には、前記上端部と接触する位置にパッキンが設けられている、請求項１〜３のいずれか一項に記載の開閉屋根。
【発明の詳細な説明】
【技術分野】
【０００１】
この発明は開閉屋根に係り、特に、浄水場等に設けられる開閉屋根に関する。
【背景技術】
【０００２】
大規模な表流水の浄水場では、施設効率、人的効率の面から急速ろ過を採用するケースが多い。これは、急速ろ過システムが、原水濁度への守備範囲が広いこと、面積あたりの処理能力が高いこと、自動化が緩速ろ過よりも容易なことなどの特徴に起因する。浄水場が大規模であることから、急速ろ過システムは、屋外に設けられるのが通常である。
【０００３】
特に、急速ろ過システムのうちの急速ろ過池が屋外に設けられると、急速ろ過池内に、雨水やゴミ等が混入して汚染されてしまう可能性がある。さらに、昨今は、飲料用水への毒物の混入等を企むテロの危険性も想定されており、急速ろ過池に屋根を設置する必要性が求められている。ただし、急速ろ過池内をメンテナンスするために、当該屋根は開閉可能である必要がある。
【０００４】
急速ろ過池用の屋根に限定するものではないが、従来の大型構造物の開閉屋根が、例えば特許文献１に記載されている。この開閉屋根は、開閉方向に複数に分割された板状の複数の可動屋根体を建物上に開閉方向に沿って移動自在に配置したものである。
【０００５】
【特許文献１】特開平９−２４２２４４号公報
【発明の開示】
【発明が解決しようとする課題】
【０００６】
しかしながら、特許文献１のようなスライド式の開閉屋根は耐荷重性が弱く、特に降雪地域に設けられた急速ろ過システムでは、当該屋根に積もった雪によって押し潰されてしまうか又は開閉ができなくなる可能性があるといった問題点があった。また、地震の時に、可動屋根体が動いてしまい、密閉性が悪いといった問題点もあった。
【０００７】
この発明はこのような問題点を解決するためになされたもので、耐荷重性及び密閉性を向上した開閉屋根を提供することを目的とする。
【課題を解決するための手段】
【０００８】
この発明に係る開閉屋根は、第１側縁部及び第２側縁部を有する２つの屋根本体部であって、該第１側縁部において回転可能に固定されると共に互いの該第２側縁部が対向するように設けられた２つの屋根本体部と、前記第１側縁部を中心として前記屋根本体部を回動させる回動装置とを備えた開閉屋根であって、前記各第２側縁部同士がシール部材を介して当接することによって前記開閉屋根が閉じられ、該開閉屋根が閉じられている場合、前記屋根本体部は、前記第２側縁部から前記第１側縁部に向かって下り勾配となっている。
前記シール部材は、一方の前記屋根本体部の前記第２側縁部に沿って設けられた第１パッキンと、他方の前記屋根本体部の前記第２側縁部に沿って設けられた第１当接部とを備えてもよい。
前記開閉屋根が閉じられたときに、前記２つの屋根本体部の裏面部に対応する形状の上端部を有した２つの壁部と、前記第１側縁部の下方において前記第１側縁部に沿って前記２つの壁部間を延びる基台であって、該基台の両端部が前記壁部に接続された２つの基台と、該基台に沿って設けられた第２当接部と、前記屋根本体部の裏面部に設けられると共に前記開閉屋根が閉じられた時に前記第２当接部が当接する第２パッキンとを備え、前記開閉屋根が閉じられた時に、前記第２パッキンが前記前記壁部にも当接してもよい。
前記裏面部には、前記上端部と接触する位置にパッキンが設けられていてもよい。
【発明の効果】
【０００９】
この発明によれば、開閉屋根は、第１側縁部及び第２側縁部を有する２つの屋根本体部であって、第１側縁部において回転可能に固定されると共に互いの第２側縁部が対向するように設けられた２つの屋根本体部と、第１側縁部を中心として屋根本体部を回動させる回動装置とを備え、第２側縁部同士がシール部材を介して当接することによって開閉屋根が閉じられることにより、各屋根本体部に無理な荷重がかかって第２側縁部同士がずれることはないので、密閉性を向上することができる。また、開閉屋根が閉じられている場合、屋根本体部が第２側縁部から第１側縁部に向かって下り勾配となっているので、耐荷重性を向上することができる。
【発明を実施するための最良の形態】
【００１０】
以下、この発明の実施の形態を添付図面に基づいて説明する。
図１に示されるように、開閉屋根１は、急速ろ過システムの急速ろ過池２用に設けられている。上方から見たときに、急速ろ過池２を半分に分割するような橋部３が、急速ろ過池２の上方をまたぐように設けられ、２つの開閉屋根１，１が、橋部３によって半分に分割された領域のそれぞれに設けられている。各開閉屋根１は、２つの屋根本体部４，４を備えている。各屋根本体部４は、上方から見たときに長方形の形状を有しており、屋根本体部４の長手方向に互いに平行に延びる第１側縁部５及び第２側縁部６を有している。２つの屋根本体部４，４は、互いの第２側縁部６が対向するようにして設けられている。各屋根本体部４の長手方向に対する両端部には、開閉屋根１を開閉するために屋根本体部４を回動させる回動装置である開閉シリンダー７が設けられている。
【００１１】
図２は、開閉屋根１が閉じた状態を示している。各屋根本体部４は、第１側縁部５において、回転固定部材９を介して、急速ろ過池２の周囲の通路８に対して回転可能に固定されている。開閉屋根１は、各屋根本体部４の第２側縁部６同士が当接することによって閉じられている。このため、各屋根本体４は、第２側縁部６から第１側縁部５に向かって下り勾配となっている。また、急速ろ過池２を挟むようにして、コンクリート製の２枚の壁部１０（図２には１枚の壁部１０のみが記載されている）が、互いに平行に設けられている。壁部１０には、人が出入りするための扉２１が設けられている。壁部１０の上端部１０ａは、開閉屋根１が閉じられた状態における各屋根本体部４の裏面部４ｂに対応する形状、すなわち、中央付近から側方に向かって下り勾配を有するような形状を有している。これにより、開閉屋根１が閉じられた状態では、屋根本体部４の裏面部４ｂが壁部１０の上端部１０ａに接触する。
【００１２】
開閉シリンダー７は、半径の異なる２つのシリンダーが入子状に組み合わされて、図示しない油圧ポンプによって伸縮可能に構成されている。図２のように、開閉屋根１が閉じている場合には、開閉シリンダー７は、半径の小さいシリンダーが半径の大きいシリンダーに挿入されて、最も長さが短い状態になっている。開閉シリンダー７の一端は、壁部１０の下方に取り付けられたブラケット１１に回転可能に固定され、他端は、屋根本体部４に取り付けられたブラケット１２に回転可能に固定されている。
【００１３】
図３に示されるように、屋根本体部４の裏面部４ｂには、開閉屋根１が閉じられた際に壁部１０の上端部１０ａ（図２参照）と接触する位置に、パッキン２０が設けられている。これにより、開閉屋根１が閉じられた時に、壁部１０と屋根本体部４との間がシールされる。
【００１４】
一方の屋根本体部４の第２側縁部６には、断面がコの字状の金属製のパッキン収容部１３が設けられ、パッキン収容部１３内に第１パッキン１４が設けられている。他方の屋根本体部４の第２側縁部６には、断面がＬ字状の金属製の第１当接部１５が設けられている。ここで、第１パッキン１４及び第１当接部１５は、シール部材を構成する。各屋根本体部４の第２側縁部６同士が当接する際、第１当接部１５が第１パッキン１４に当接する。これにより、各第２側縁部６間がシールされる。尚、第１当接部１５は、パッキン収容部１３内に設けられた第１パッキン１４のいずれかの部分に当接すれば各第２側縁部６間をシールできるので、各屋根本体部４の第２側縁部６同士が多少ずれて当接しても、各第２側縁部６間のシールが可能になる。
【００１５】
橋部３には、屋根本体部４の第１側縁部５の下方に第１側縁部５に沿って延びる金属製の基台１６が設けられている。基台１６は、コの字状の断面形状を有している。図３には図示されていないが、もう一方の屋根本体部４の第１側縁部５の下方の通路８（図２参照）には、同様の基台が設けられている。基台１６の上面部１６ａには、上面部１６ａに沿って延びる金属製の第２当接部１７が設けられている。第２当接部１７は、Ｌ字状の断面形状を有している。基台１６及び第２当接部１７のそれぞれの両端部は、壁部１０（図２参照）に接続されている。屋根本体部４の裏面部４ｂには、断面がコの字状の金属製のパッキン収容部１８と、パッキン収容部１８内に設けられた第２パッキン１９とが設けられ、開閉屋根１が閉じた状態の時に、第２当接部１７が第２パッキン１９に当接するようになっている。これにより、第１側縁部５において、屋根本体部４と基台１６との間がシールされる。また、開閉屋根１が閉じられた状態で、第２パッキン１９の両端部がそれぞれ壁部１０に当接することにより、壁部１０と第２パッキン１９との間がシールされる。従って、第１側縁部５に沿ったシールがなされる。尚、もう一方の屋根本体部４においても、同様の構成により、第１側縁部５に沿ったシールがなされる。
以上の構成により、開閉屋根１が閉じられると、急速ろ過池２（図１または２参照）が外部から隔離される。
【００１６】
次に、この実施の形態に係る開閉屋根の開閉動作について説明する。
まず、図２に示されるように、開閉屋根１が閉じられた状態から開く動作について説明する。図示しない油圧ポンプにより、開閉シリンダー７が伸びると、屋根本体部４が、ブラケット１２を介して開閉シリンダー７の伸びる方向に力を受ける。屋根本体部４は、第１側縁部５において、回転固定部材９を介して回転可能に固定されているので、第１側縁部５を中心に回動する。すると、各第２側縁部６同士の当接が解除されて、図４に示されるように、開閉屋根１が開いた状態になる。
【００１７】
これとは逆に、開閉屋根１を閉じる場合には、図示しない油圧ポンプによって開閉シリンダー７を縮ませると、各屋根本体部４は、第１側縁部５を中心に各第２側縁部６同士が近づくように回動する。最終的に各第２側縁部６同士が当接することにより、開閉屋根１が閉じられる。この際、第１当接部１５が第１パッキン１４に当接し、第２当接部１７が第２パッキン１９に当接し、第２パッキン１９の両端部が壁部１０に当接し、パッキン２０が壁部１０の上端部１０ａに当接することにより、急速ろ過池２は外部から隔離される。
【００１８】
このように、開閉屋根１は、第１側縁部５及び第２側縁部６を有する２つの屋根本体部４，４であって、第１側縁部５において回転可能に固定されると共に互いの第２側縁部６が対向するように設けられた２つの屋根本体部４，４と、第１側縁部５を中心として屋根本体部４を回動させる開閉シリンダー７とを備え、第２側縁部６同士がシール部材を介して当接することによって開閉屋根１が閉じられることにより、各屋根本体部４に無理な荷重がかかって第２側縁部６同士がずれることはないので、密閉性を向上することができる。また、開閉屋根１が閉じられている場合、屋根本体部４が第２側縁部６から第１側縁部５に向かって下り勾配となっているので、耐荷重性を向上することができる。このため、降雪時でも、開閉屋根１が押し潰されるのを防止できると共に、開閉屋根１を開閉することができる。
また、一方の屋根本体部４の第２側縁部６に、断面がコの字状の金属製のパッキン収容部１３内に設けられた第１パッキン１４を設けると共に、他方の屋根本体部４の第２側縁部６に、断面がＬ字状の金属製の第１当接部１５を設けることにより、第１当接部１５は、第１パッキン１４のいずれかの部分に当接すれば各第２側縁部６間をシールできるので、各屋根本体部４の第２側縁部６同士が多少ずれて当接しても、各第２側縁部６間をシールすることができる。
また、開閉屋根１が閉じられたときに２つの屋根本体部４，４の裏面部４ｂ，４ｂに対応する形状の上端部１０ａを有した２つの壁部１０，１０と、第１側縁部５の下方において第１側縁部５に沿って２つの壁部１０，１０間を延びる基台１６であって、基台１６の両端部が壁部１０に接続された２つの基台１６，１６と、基台１６に沿って設けられた第２当接部１７と、屋根本体部４の裏面部４ｂに設けられると共に開閉屋根１が閉じられた時に第２当接部１７が当接する第２パッキン１９とを備え、開閉屋根１が閉じられた時に、第２当接部１７が第２パッキン１９に当接すると共に第２パッキン１９の両端部が壁部１０に当接することにより、第１側縁部５に沿ったシールがなされる。
さらに、裏面部４ｂにおいて上端部１０ａと接触する位置にパッキン２０を設けることにより、壁部１０と屋根本体部４との間をシールすることができる。
【００１９】
この実施の形態では、開閉屋根１を急速ろ過池２用に適用した場合を例にして説明をしたが、これに限定するものではない。屋外及び屋内の様々な設備等の開閉屋根として使用することができる。
【図面の簡単な説明】
【００２０】
【図１】この発明の実施の形態に係る開閉屋根の平面図である。
【図２】この実施の形態に係る開閉屋根が閉じた状態の正面図である。
【図３】この実施の形態に係る開閉屋根が閉じた状態の部分拡大正面図である。
【図４】この実施の形態に係る開閉屋根が開いた状態の正面図である。
【符号の説明】
【００２１】
１  開閉屋根、４  屋根本体部、４ｂ  （屋根本体部４の）裏面部、５  第１側縁部、６  第２側縁部、７  開閉シリンダー（回動装置）、１０  壁部、１０ａ  （壁部１０の）上端部、１４  第１パッキン（シール部材）、１５  第１当接部（シール部材）、１６  基台、１７  第２当接部、１９  第２パッキン、２０  パッキン。
【図１】
2009127190.tif 000003
【図２】
2009127190.tif 000004
【図３】
2009127190.tif 000005
【図４】
2009127190.tif 000006